【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
舌押さえ篦と、
前記舌押さえ篦をアーティキュレート可能に構成及び調製されたアーティキュレーションアセンブリと、
前記舌押さえ篦のアーティキュレート中に前記アーティキュレーションアセンブリに対し安定化力を供給可能に構成及び調製された支持アームと、
を備え、
前記アーティキュレーションアセンブリは、少なくとも、前記舌押さえ篦を矢状軸を軸として回転させるように構成及び調整されている、
オーラルリトラクション装置。
【請求項２】
請求項１記載のオーラルリトラクション装置であり、患者の口部内に配置されるオーラルリトラクション装置であって、当該口部を介し前記患者の内部領域へのアクセスを提供可能に構成及び調製されているオーラルリトラクション装置。
【請求項３】
請求項１記載のオーラルリトラクション装置であり、患者の口中に配置されるオーラルリトラクション装置であって、１回又は複数回の医療手順中における前記患者の内部部位へのアクセスを提供すべく前記舌押さえ篦で前記患者の舌に力を加えるオーラルリトラクション装置。
【請求項４】
請求項１記載のオーラルリトラクション装置であって、前記舌押さえ篦が前記アーティキュレーションアセンブリに可除結合されているオーラルリトラクション装置。
【請求項５】
請求項１記載のオーラルリトラクション装置であって、前記アーティキュレーションアセンブリが第１部分及びその第１部分と連携する第２部分を備え、当該第１部分が前記支持アームに対しアーティキュレートするオーラルリトラクション装置。
【請求項６】
請求項５記載のオーラルリトラクション装置であって、更に、前記支持アームから延びるアクスルを備え、当該アクスルを中心に回動させるため当該アクスルを中心にして前記第１部分が位置決めされるオーラルリトラクション装置。
【請求項７】
請求項５記載のオーラルリトラクション装置であって、前記第１部分に対し回動しうるよう前記アーティキュレーションアセンブリの前記第２部分が構成されているオーラルリトラクション装置。
【請求項８】
請求項７記載のオーラルリトラクション装置であって、更に、ノブを含む角度位置決めギアを備え、前記ノブは、前記アクスルを中心に前記第２部分が回動しているときにストップロックとして振る舞いうるよう構成されているオーラルリトラクション装置。
【請求項９】
請求項５記載のオーラルリトラクション装置であって、前記第２部分が、チャネル内で前記舌抑え篦と接触可能且つそのチャネル内にその舌抑え篦を可摺動的に受容可能に構成された１本又は複数本のアームを備えるオーラルリトラクション装置。
【請求項１０】
請求項１記載のオーラルリトラクション装置であって、上記アーティキュレーションアセンブリが、少なくとも三自由度に亘り前記舌抑え篦をアーティキュレートさせる複数個のギアを含む複数軸ギアアセンブリを有するオーラルリトラクション装置。
【請求項１１】
請求項１０記載のオーラルリトラクション装置であって、前記アーティキュレーションアセンブリが、前記複数個のギアと係合する複数のノブを含むオーラルリトラクション装置。
【請求項１２】
請求項１０記載のオーラルリトラクション装置であって、前記複数個のギアが、回動位置決めギア、高さ位置決めギア及び角度位置決めギアのうち少なくとも１個を含むオーラルリトラクション装置。
【請求項１３】
請求項１２記載のオーラルリトラクション装置であって、前記回動位置決めギア、前記高さ位置決めギア及び前記角度位置決めギアのうち１個又は複数個の組合せの連携により、患者の口部へのアクセスを可能化するオーラルリトラクション装置。
【請求項１４】
請求項１２記載のオーラルリトラクション装置であって、前記角度位置決めギアはノブを含み、上記角度位置決めギアの回動により、前記舌抑え篦の曲線方向沿いアーティキュレートであって正面軸を巡る一自由度を伴うものが御されるオーラルリトラクション装置。
【請求項１５】
請求項１２記載のオーラルリトラクション装置であって、前記舌押さえ篦が一組のギア状歯を備え、それらギア状歯が、軸沿いに延びるアクスルに結合された前記複数軸ギアアセンブリのギアと摩擦係合可能に構成されているオーラルリトラクション装置。
【請求項１６】
請求項１５記載のオーラルリトラクション装置であって、前記高さ位置決めギアが前記ギア状歯と係合し、上記舌抑え篦の直線方向沿いアーティキュレートであって前記正面軸に沿って一自由度を伴うものが、当該舌抑え篦の挿入長を調整すべく御されるオーラルリトラクション装置。
【手続補正２】
【補正対象書類名】明細書
【補正対象項目名】０２４６
【補正方法】変更
【補正の内容】
【０２４６】
本発明につき、その例示的実施形態を参照して上述し具体的に示してきたが、本件技術分野で習熟を積んだ者（いわゆる当業者）には、前掲請求項のうち後続する少なくとも一項によって記述及び定義されている本発明の神髄及び技術的範囲から逸脱することなく形態及び細部に様々な変更を施しうることを、ご理解頂けよう。なお、以下に本発明の構成の一例を付記として示す。
（付記１）
舌押さえ篦(tongue depressor blade)と、
上記舌押さえ篦を少なくとも三自由度に亘りアーティキュレート可能に構成及び調製されたアーティキュレーションアセンブリと、
上記舌押さえ篦のアーティキュレート中に上記アーティキュレーションアセンブリに対し安定化力を供給可能に構成及び調製された支持要素と、
を備えるオーラルリトラクション装置(oral retraction device)。
（付記２）
付記１記載のオーラルリトラクション装置であり、患者の口部内に配置されるオーラルリトラクション装置であって、当該口部を介し患者の内部領域へのアクセスを提供可能に構成及び調製されているオーラルリトラクション装置。
（付記３）
付記２記載のオーラルリトラクション装置であって、上記内部領域が鼻腔、喉、中咽頭、食道、声帯及び胃のうち少なくとも１個を含み、及び／又は、患者の鼻腔、喉、中咽頭、食道、声帯又は胃に近い身体領域への直接又は間接的なアクセスを提供するオーラルリトラクション装置。
（付記４）
付記２記載のオーラルリトラクション装置であって、アーティキュレーティングロボットプローブを少なくとも患者の口部へと導入するのに用いられるオーラルリトラクション装置。
（付記５）
付記２記載のオーラルリトラクション装置であって、安定化状態であるとき、患者の口部に力を加えて当該口部の幾何形状を制御するオーラルリトラクション装置。
（付記６）
付記５記載のオーラルリトラクション装置であって、上記口部にある唇、舌、歯及び頬のうち少なくとも１個に力を加えるオーラルリトラクション装置。
（付記７）
付記５記載のオーラルリトラクション装置であって、医療手順の前又は最中における患者の頭部の再位置決めが最小限化又は回避されるよう、上記口部に力を加えるオーラルリトラクション装置。
（付記８）
付記１記載のオーラルリトラクション装置であって、その構成要素のうち１個又は複数個のアーティキュレート又は幾何学的変形が片手操作に従い実行されるオーラルリトラクション装置。
（付記９）
付記１記載のオーラルリトラクション装置であり、患者の口中に配置されるオーラルリトラクション装置であって、１回又は複数回の医療手順中における患者の内部部位へのアクセスを提供すべく上記舌押さえ篦で患者の舌に力を加えるオーラルリトラクション装置。
（付記１０）
付記１記載のオーラルリトラクション装置であって、上記舌押さえ篦が上記アーティキュレーションアセンブリに可除結合されているオーラルリトラクション装置。
（付記１１）
付記１０記載のオーラルリトラクション装置であって、本オーラルリトラクション装置が患者の口中に配置されている間に、上記舌押さえ篦を上記アーティキュレーションアセンブリから除去可能なオーラルリトラクション装置。
（付記１２）
付記１０記載のオーラルリトラクション装置であって、上記舌押さえ篦を片手操作に従い除去可能なオーラルリトラクション装置。
（付記１３）
付記１記載のオーラルリトラクション装置であって、上記支持要素が、直線位置決めアセンブリに結合された支持アームを備え、その直線位置決めアセンブリが、当該支持要素を直線方向にアーティキュレートさせるオーラルリトラクション装置。
（付記１４）
付記１記載のオーラルリトラクション装置であって、上記支持要素が、直線位置決めアセンブリに結合されたフレームを備え、その直線位置決めアセンブリが、当該支持要素を直線方向にアーティキュレートさせるオーラルリトラクション装置。
（付記１５）
付記１記載のオーラルリトラクション装置であって、上記支持要素が、直線位置決めアセンブリの一部分に可摺動結合された第１支持要素と、その直線位置決めアセンブリの他部分に固定結合された第２支持要素と、を備え、当該第１支持要素が支持アームを備え、当該第２支持要素がフレームを備え、当該直線位置決めアセンブリが当該支持要素を直線方向にアーティキュレートさせるオーラルリトラクション装置。
（付記１６）
付記１５記載のオーラルリトラクション装置であって、上記直線位置決めアセンブリの直線並進に応じ上記フレームが上記支持アームに対し動くオーラルリトラクション装置。
（付記１７）
付記１５記載のオーラルリトラクション装置であって、上記支持アーム及び上記フレームが本オーラルリトラクション装置の両端にて支持力をもたらすオーラルリトラクション装置。
（付記１８）
付記１５記載のオーラルリトラクション装置であって、上記支持アームが、更に、上記安定化力を供給すべく本オーラルリトラクション装置の一端で支持構造に取付可能に構成及び調製された取付部を備えるオーラルリトラクション装置。
（付記１９）
付記１８記載のオーラルリトラクション装置であって、上記取付部が、上記支持構造の管状部を部分的に取り巻く等して当該支持構造に係合することにより、上記支持アームのポジションを安定化させ及び／又は保持するオーラルリトラクション装置。
（付記２０）
付記１８記載のオーラルリトラクション装置であって、上記支持構造が、安定な構造物に結合された支持ロッドを備えるオーラルリトラクション装置。
（付記２１）
付記１５記載のオーラルリトラクション装置であって、上記支持アームが、オペレータにより安定化可能に構成及び調製されたハンドルを備えるオーラルリトラクション装置。
（付記２２）
付記２１記載のオーラルリトラクション装置であって、オペレータが上記ハンドルを用い本オーラルリトラクション装置を患者の口にて安定化させるオーラルリトラクション装置。
（付記２３）
付記１５記載のオーラルリトラクション装置であって、上記フレームがある軸に沿った延長方向に沿い延びており、当該フレームがその軸に沿い上記支持アームに対し並進すると当該軸に沿い患者の口に開口力が加わるオーラルリトラクション装置。
（付記２４）
付記１記載のオーラルリトラクション装置であって、更に、複数個のチークリトラクタ(cheek retractor)と、上記支持要素のフレームに結合された複数個の臼歯支持体(molar support)と、を備えるオーラルリトラクション装置。
（付記２５）
付記２４記載のオーラルリトラクション装置であって、上記複数個のチークリトラクタのうち少なくとも１個のチークリトラクタが一種類又は複数種類の力を患者の頬に加えるオーラルリトラクション装置。
（付記２６）
付記２４記載のオーラルリトラクション装置であって、上記臼歯支持体のうち少なくとも１個が一種類又は複数種類の力を患者の歯に加えるオーラルリトラクション装置。
（付記２７）
付記２４記載のオーラルリトラクション装置であって、上記フレームが、上記チークリトラクタそれぞれに対応する頬位置決めスロットと、上記臼歯支持体それぞれに対応する臼歯調整スロットと、を有するオーラルリトラクション装置。
（付記２８）
付記２７記載のオーラルリトラクション装置であって、上記頬位置決めスロットが、上記フレームのうち第１軸沿いに延びる部分に沿い上記チークリトラクタを位置決め可能に構成及び調製されており、上記臼歯調整スロットが、当該フレームのうち当該第１軸に対し垂直な第２軸沿いに延びる部分に沿い上記臼歯支持体を位置決め可能に構成及び調製されているオーラルリトラクション装置。
（付記２９）
付記２８記載のオーラルリトラクション装置であって、上記フレームから見て本オーラルリトラクション装置の逆端にある支持アームが上記第１軸沿いに並進すると当該第１軸に沿い患者の口が押し広げられるよう、上記臼歯支持体が当該フレーム向けに抵抗力を供給し、且つ、上記第２軸に沿い患者の口が押し広げられるよう上記チークリトラクタが抵抗力を供給するオーラルリトラクション装置。
（付記３０）
付記２４記載のオーラルリトラクション装置であって、上記臼歯支持体及び上記チークリトラクタのうち少なくとも１個が上記フレームに可除結合されているオーラルリトラクション装置。
（付記３１）
付記２４記載のオーラルリトラクション装置であって、患者の臼歯の所在を容れるべく上記フレーム上における上記臼歯支持体の位置を調整可能なオーラルリトラクション装置。
（付記３２）
付記２４記載のオーラルリトラクション装置であって、上記フレームが臼歯調整アーチを有し、上記臼歯調整スロットがその臼歯調整アーチにあり、当該臼歯調整アーチが、患者の臼歯その他の歯又は患者の上顎に備わる部分に対し上記臼歯支持体を整列可能に構成されているオーラルリトラクション装置。
（付記３３）
付記１記載のオーラルリトラクション装置であって、上記アーティキュレーションアセンブリが、上記支持要素の支持アームに対し直線方向に沿い当該支持要素のフレームをアーティキュレートさせる直線位置決めアセンブリを備えるオーラルリトラクション装置。
（付記３４）
付記３３記載のオーラルリトラクション装置であって、上記直線位置決めアセンブリの動きを通じもたらされる上記フレームのオペレータ由来並進により、当該フレームに結合されている臼歯支持体と上記舌押さえ篦との間の距離が変化するオーラルリトラクション装置。
（付記３５）
付記３３記載のオーラルリトラクション装置であって、上記直線位置決めアセンブリが、一方向又は複数方向に沿い並進を制限可能に、且つ当該直線位置決めアセンブリを一連の直線位置に保持可能に、構成及び調製されているオーラルリトラクション装置。
（付記３６）
付記３３記載のオーラルリトラクション装置であって、上記直線位置決めアセンブリが、上記フレームが結合された端を有するベースと、当該直線位置決めアセンブリの第１軸沿い並進を制御するラチェットアセンブリと、を備えるオーラルリトラクション装置。
（付記３７）
付記３６記載のオーラルリトラクション装置であって、上記ラチェットアセンブリが、ラチェットロック部を有するレバーを備え、本オーラルリトラクション装置が更にスプリングアセンブリを備え、当該ラチェットアセンブリが当該スプリングアセンブリにより付勢されるオーラルリトラクション装置。
（付記３８）
付記３７記載のオーラルリトラクション装置であって、上記レバー及び上記ロック部が、上記自由度のうち一つを有効化可能且つ上記ラチェットアセンブリの制御下に上記直線位置決めアセンブリの直線方向沿い並進を許容可能に構成及び調製されており、且つ、当該レバー及び当該ロック部の作動により、上記第１軸沿いの少なくとも一方向に沿った当該直線位置決めアセンブリの動きが妨げられて上記自由度のうち上記一つが阻害されるオーラルリトラクション装置。
（付記３９）
付記３７記載のオーラルリトラクション装置であって、上記レバーの基端に力が加わると上記ロック部が分離され上記直線位置決めアセンブリが上記第１軸に沿い運動自在となるオーラルリトラクション装置。
（付記４０）
付記３７記載のオーラルリトラクション装置であって、上記ラチェットアセンブリが、患者の臼歯に加わっている力が上記レバーに力が加わるのに応じ迅速解放され、患者の口からの本オーラルリトラクション装置の迅速除去等がそれにより可能となるよう、構成されているオーラルリトラクション装置。
（付記４１）
付記３７記載のオーラルリトラクション装置であって、上記支持アームが一組の歯を備え、上記直線位置決めアセンブリが、それらの歯と可作動的に係合するギアを有し、第１ポジションたる係合ポジションでは上記ラチェットロック部がそれらの歯と係合し、第２ポジションたる分離ポジションでは当該ラチェットロック部がそれらの歯から分離されて上記並進アセンブリが運動自在となるオーラルリトラクション装置。
（付記４２）
付記４１記載のオーラルリトラクション装置であって、直線位置決めノブの回動がその軸を中心とした上記ギアの回動、ひいては上記支持要素に対する上記直線位置決めアセンブリの直線並進に変換されるよう、上記ギアが直線位置決めノブに取り付けられているオーラルリトラクション装置。
（付記４３）
付記１記載のオーラルリトラクション装置であって、上記アーティキュレーションアセンブリが、上記舌押さえ篦を回動的にアーティキュレート可能に構成及び調製されているオーラルリトラクション装置。
（付記４４）
付記１記載のオーラルリトラクション装置であって、上記アーティキュレーションアセンブリが、複数軸ギアアセンブリと、上記少なくとも三自由度に亘り上記舌抑え篦をアーティキュレートさせる複数個のノブと、を有するオーラルリトラクション装置。
（付記４５）
付記４４記載のオーラルリトラクション装置であって、上記ノブが、回動位置決めノブ、高さ位置決めノブ及び角度位置決めノブのうち少なくとも１個を含むオーラルリトラクション装置。
（付記４６）
付記４５記載のオーラルリトラクション装置であって、上記角度位置決めノブの回動により、上記舌抑え篦の曲線方向沿いアーティキュレートであって第１軸を巡る一自由度を伴うものが御されるオーラルリトラクション装置。
（付記４７）
付記４６記載のオーラルリトラクション装置であって、上記高さ位置決めノブの回動により、上記舌抑え篦の直線方向沿いアーティキュレートであって上記第１軸に対し垂直な第２軸に対する一自由度を伴うものが、当該舌抑え篦の挿入長を調整すべく御されるオーラルリトラクション装置。
（付記４８）
付記４７記載のオーラルリトラクション装置であって、上記回動位置決めノブの回動により、上記舌抑え篦の曲線方向沿いアーティキュレートであって上記第１軸及び第２軸に対し垂直な第３軸を巡る一自由度を伴うものが御されるオーラルリトラクション装置。
（付記４９）
付記４５記載のオーラルリトラクション装置であって、上記回動位置決めノブ、上記高さ位置決めノブ及び上記角度位置決めノブのうち１個又は複数個の組合せの連携により、患者の口部へのアクセスを可能化するオーラルリトラクション装置。
（付記５０）
付記４５記載のオーラルリトラクション装置であって、上記直線位置決めノブの回動、ひいては上記直線位置決めアセンブリと連携するフレームがそれにより並進することを通じ、付加的な自由度を提供可能なオーラルリトラクション装置。
（付記５１）
付記４５記載のオーラルリトラクション装置であって、上記患者の歯に加わる力を直線位置決めノブを回動させることで調整すると、上記直線位置決めアセンブリに連携するフレームとの間の距離が上記舌押さえ篦を基準として変化し、それにより口を通じた開口が調整されるオーラルリトラクション装置。
（付記５２）
付記５１記載のオーラルリトラクション装置であって、上記直線位置決めノブ及びラチェットアセンブリレバーのうち少なくとも１個に力を加えることで、上記フレームの片手調整を実行可能なオーラルリトラクション装置。
（付記５３）
付記４４記載のオーラルリトラクション装置であって、更に、上記複数個のノブのうち少なくとも１個を中心に配置可能な器具を備えるオーラルリトラクション装置。
（付記５４）
付記５３記載のオーラルリトラクション装置であって、上記複数個のノブのうち係合している上記少なくとも１個を回動させるに当たりオペレータの手の指１本又は複数本で把持可能に、上記器具が構成及び調製されているオーラルリトラクション装置。
（付記５５）
付記５３記載のオーラルリトラクション装置であって、上記複数個のノブのうち係合している上記少なくとも１個を回動させるためのモータに結合可能に、上記器具が構成及び調製されているオーラルリトラクション装置。
（付記５６）
付記４４記載のオーラルリトラクション装置であって、上記ノブのうち少なくとも１個を回すことで上記舌押さえ篦の片手調整が実行されるオーラルリトラクション装置。
（付記５７）
付記１記載のオーラルリトラクション装置であって、上記アーティキュレーションアセンブリが第１部分及びその第１部分と連携する第２部分を備え、当該第１部分が上記支持要素の支持アームに対しアーティキュレートするオーラルリトラクション装置。
（付記５８）
付記５７記載のオーラルリトラクション装置であって、更に、上記支持アームから延びるアクスルを備え、当該アクスルを中心に回動させるため当該アクスルを中心にして上記第１部分が位置決めされるオーラルリトラクション装置。
（付記５９）
付記５８記載のオーラルリトラクション装置であって、回動位置決めノブの回動により、上記アクスルを中心にした上記第１部分のアーティキュレートが御されるオーラルリトラクション装置。
（付記６０）
付記５７記載のオーラルリトラクション装置であって、上記第１部分に対し回動しうるよう上記アーティキュレーションアセンブリの上記第２部分が構成されているオーラルリトラクション装置。
（付記６１）
付記５７記載のオーラルリトラクション装置であって、上記アクスルを中心に上記第２部分が回動しているときにストップロックとして振る舞いうるよう角度位置決めノブが構成されているオーラルリトラクション装置。
（付記６２）
付記５７記載のオーラルリトラクション装置であって、上記第２部分が、チャネル内で上記舌抑え篦と接触可能且つそのチャネル内にその舌抑え篦を可摺動的に受容可能に構成された１本又は複数本のアームを備えるオーラルリトラクション装置。
（付記６３）
付記６２記載のオーラルリトラクション装置であって、上記舌押さえ篦が一組のギア状歯を備え、それらギア状歯が、軸沿いに延びるアクスルに結合された複数軸ギアアセンブリのギアと摩擦係合可能に構成されているオーラルリトラクション装置。
（付記６４）
付記６３記載のオーラルリトラクション装置であって、上記ギアが高さ位置決めノブに結合されており、当該高さ位置決めノブの回動に応じ当該ギアがそのアクスルを中心にして回動し、回動している当該ギアが上記ギア状歯と係合する結果、ある直線経路に沿い上記チャネル内で上記舌押さえ篦が動き、それにより、上記アーティキュレーションアセンブリの上記アームに対する当該舌押さえ篦の縦位置が調整されるオーラルリトラクション装置。
（付記６５）
付記６４記載のオーラルリトラクション装置であって、上記高さ位置決めノブにより上記舌押さえ篦を縦方向に並進させるオーラルリトラクション装置。
（付記６６）
付記６４記載のオーラルリトラクション装置であって、上記アーティキュレーションアセンブリがロックアセンブリを備え、ロックポジションにて舌押さえ篦の横位置をロック可能に且つアンロックポジションにて舌押さえ篦の深さ位置の調整を許容可能にそのロックアセンブリが構成及び調製されているオーラルリトラクション装置。
（付記６７）
付記６６記載のオーラルリトラクション装置であって、上記ロックアセンブリがレバーを備え、そのレバーがクイックリリース機構、例えばオペレータの指１本又は片手で解放される機構として構成されているオーラルリトラクション装置。
（付記６８）
付記１記載の手術具を用い医療手順を実行する方法。
（付記６９）
舌押さえ篦と、
上記舌押さえ篦を回動的にアーティキュレート可能に構成及び調製されたアーティキュレーションアセンブリと、
上記舌押さえ篦のアーティキュレート中に上記アーティキュレーションアセンブリに対し安定化力を供給可能に構成及び調製された支持要素と、
を備えるオーラルリトラクション装置。
（付記７０）
付記６９記載のオーラルリトラクション装置であり、患者の口部内に配置されるオーラルリトラクション装置であって、当該口部を介し患者の内部領域へのアクセスを提供可能に構成及び調製されているオーラルリトラクション装置。
（付記７１）
付記６９記載のオーラルリトラクション装置であって、その構成要素のうち１個又は複数個のアーティキュレート又は幾何学的変形が片手操作に従い実行されるオーラルリトラクション装置。
（付記７２）
付記６９記載のオーラルリトラクション装置であって、上記支持要素が、直線位置決めアセンブリに結合された支持アームを備え、その直線位置決めアセンブリが、当該支持要素を直線方向にアーティキュレートさせるオーラルリトラクション装置。
（付記７３）
付記６９記載のオーラルリトラクション装置であって、上記支持要素が、直線位置決めアセンブリに結合されたフレームを備え、その直線位置決めアセンブリが、当該支持要素を直線方向にアーティキュレートさせるオーラルリトラクション装置。
（付記７４）
付記６９記載のオーラルリトラクション装置であって、上記支持要素が、直線位置決めアセンブリの一部分に可摺動結合された第１支持要素と、その直線位置決めアセンブリの他部分に固定結合された第２支持要素と、を備え、当該第１支持要素が支持アームを備え、当該第２支持要素がフレームを備え、当該直線位置決めアセンブリが当該支持要素を直線方向にアーティキュレートさせるオーラルリトラクション装置。
（付記７５）
付記６９記載のオーラルリトラクション装置であって、上記支持要素が、更に、上記安定化力を供給すべく本オーラルリトラクション装置の一端で支持構造に取付可能に構成及び調製された取付部を備えるオーラルリトラクション装置。
（付記７６）
付記６９記載のオーラルリトラクション装置であって、更に、複数個のチークリトラクタと、上記支持要素のフレームに結合された複数個の臼歯支持体と、を備えるオーラルリトラクション装置。
（付記７７）
付記７６記載のオーラルリトラクション装置であって、上記フレームが、上記チークリトラクタそれぞれに対応する頬位置決めスロットと、上記臼歯支持体それぞれに対応する臼歯調整スロットと、を有するオーラルリトラクション装置。
（付記７８）
付記７７記載のオーラルリトラクション装置であって、上記頬位置決めスロットが、上記フレームのうち第１軸沿いに延びる部分に沿い上記チークリトラクタを位置決め可能に構成及び調製されており、上記臼歯調整スロットが、当該フレームのうち当該第１軸に対し垂直な第２軸沿いに延びる部分に沿い上記臼歯支持体を位置決め可能に構成及び調製されているオーラルリトラクション装置。
（付記７９）
付記７７記載のオーラルリトラクション装置であって、上記フレームから見て本オーラルリトラクション装置の逆端にある支持アームが上記第１軸沿いに並進すると当該第１軸に沿い患者の口が押し広げられるよう、上記臼歯支持体が当該フレーム向けに抵抗力を供給し、且つ、上記第２軸に沿い患者の口が押し広げられるよう上記チークリトラクタが抵抗力を供給するオーラルリトラクション装置。
（付記８０）
付記７６記載のオーラルリトラクション装置であって、上記臼歯支持体及び上記チークリトラクタのうち少なくとも１個が上記フレームに可除結合されているオーラルリトラクション装置。
（付記８１）
付記７６記載のオーラルリトラクション装置であって、患者の臼歯の所在を容れるべく上記フレーム上における上記臼歯支持体の位置を調整可能なオーラルリトラクション装置。
（付記８２）
付記６９記載のオーラルリトラクション装置であって、上記アーティキュレーションアセンブリが、上記支持要素の支持アームに対し直線方向に沿い当該支持要素のフレームをアーティキュレートさせる直線位置決めアセンブリを備えるオーラルリトラクション装置。
（付記８３）
付記８２記載のオーラルリトラクション装置であって、上記直線位置決めアセンブリの動きを通じもたらされる上記フレームのオペレータ由来並進により、当該フレームに結合されている臼歯支持体と上記舌押さえ篦との間の距離が変化するオーラルリトラクション装置。
（付記８４）
付記８２記載のオーラルリトラクション装置であって、上記直線位置決めアセンブリが、一方向又は複数方向に沿い並進を制限可能に且つ当該直線位置決めアセンブリを一連の直線位置に保持可能に、構成及び調製されているオーラルリトラクション装置。
（付記８５）
付記８２記載のオーラルリトラクション装置であって、上記直線位置決めアセンブリが、上記フレームが結合された端を有するベースと、当該直線位置決めアセンブリの第１軸沿い並進を制御するラチェットアセンブリと、を備えるオーラルリトラクション装置。
（付記８６）
付記８５記載のオーラルリトラクション装置であって、上記ラチェットアセンブリが、ラチェットロック部を有するレバーを備え、本オーラルリトラクション装置が更にスプリングアセンブリを備え、当該ラチェットアセンブリが当該スプリングアセンブリにより付勢されるオーラルリトラクション装置。
（付記８７）
付記８６記載のオーラルリトラクション装置であって、上記レバー及び上記ロック部が、上記自由度のうち一つを有効化可能且つ上記ラチェットアセンブリの制御下に上記直線位置決めアセンブリの直線方向沿い並進を許容可能に構成及び調製されており、且つ、当該レバー及び当該ロック部の作動により、上記第１軸沿いの少なくとも一方向に沿った当該直線位置決めアセンブリの動きが妨げられて上記自由度のうち上記一つが阻害されるオーラルリトラクション装置。
（付記８８）
付記８２記載のオーラルリトラクション装置であって、上記支持アームが一組の歯を備え、上記直線位置決めアセンブリが、それらの歯と可作動的に係合するギアを有し、第１ポジションたる係合ポジションでは上記ラチェットロック部がそれらの歯と係合し、第２ポジションたる分離ポジションでは当該ラチェットロック部がそれらの歯から分離されて上記並進アセンブリが運動自在となるオーラルリトラクション装置。
（付記８９）
付記６９記載のオーラルリトラクション装置であって、上記アーティキュレーションアセンブリが、上記舌押さえ篦を回動的にアーティキュレート可能に構成及び調製されているオーラルリトラクション装置。
（付記９０）
付記６９記載のオーラルリトラクション装置であって、上記アーティキュレーションアセンブリが、複数軸ギアアセンブリと、上記少なくとも三自由度に亘り上記舌抑え篦をアーティキュレートさせる複数個のノブと、を有するオーラルリトラクション装置。
（付記９１）
付記９０記載のオーラルリトラクション装置であって、上記ノブが、回動位置決めノブ、高さ位置決めノブ及び角度位置決めノブのうち少なくとも１個を含むオーラルリトラクション装置。
（付記９２）
付記９１記載のオーラルリトラクション装置であって、上記角度位置決めノブの回動により、上記舌抑え篦の曲線方向沿いアーティキュレートであって第１軸を巡る一自由度を伴うものが御されるオーラルリトラクション装置。
（付記９３）
付記９２記載のオーラルリトラクション装置であって、上記高さ位置決めノブの回動により、上記舌抑え篦の直線方向沿いアーティキュレートであって上記第１軸に対し垂直な第２軸に対する一自由度を伴うものが、当該舌抑え篦の挿入長を調整すべく御されるオーラルリトラクション装置。
（付記９４）
付記９３記載のオーラルリトラクション装置であって、上記回動位置決めノブの回動により、上記舌抑え篦の曲線方向沿いアーティキュレートであって上記第１軸及び第２軸に対し垂直な第３軸を巡る一自由度を伴うものが御されるオーラルリトラクション装置。
（付記９５）
付記９１記載のオーラルリトラクション装置であって、上記回動位置決めノブ、上記高さ位置決めノブ及び上記角度位置決めノブのうち１個又は複数個の組合せの連携により、患者の口部へのアクセスを可能化するオーラルリトラクション装置。
（付記９６）
付記９１記載のオーラルリトラクション装置であって、上記直線位置決めノブの回動、ひいては上記直線位置決めアセンブリと連携するフレームがそれにより並進することを通じ、付加的な自由度を提供するオーラルリトラクション装置。
（付記９７）
付記９１記載のオーラルリトラクション装置であって、上記患者の歯に加わる力を直線位置決めノブを回動させることで調整すると、上記直線位置決めアセンブリに連携するフレームとの間の距離が上記舌押さえ篦を基準として変化し、それにより口を通じた開口が調整されるオーラルリトラクション装置。
（付記９８）
付記９７記載のオーラルリトラクション装置であって、上記直線位置決めノブ及びラチェットアセンブリレバーのうち少なくとも１個に力を加えることで、上記フレームの片手調整を実行可能なオーラルリトラクション装置。
（付記９９）
付記６９記載のオーラルリトラクション装置を用い医療手順を実行する方法。
（付記１００）
対人インタフェースデバイス（ＨＩＤ）と、
コントローラと、
ロボット的に操作可能なオーラルリトラクタと、
を備え、上記リトラクタがアーティキュレーションアセンブリを有し、舌押さえ篦を少なくとも三自由度に亘りアーティキュレートさせること及び当該舌押さえ篦を回動的にアーティキュレートさせることのうち少なくとも一方を実行可能に、そのアーティキュレーションアセンブリが構成及び調製されているシステム。
（付記１０１）
付記１００記載のシステムであって、上記コントローラが、上記オーラルリトラクタに可作動的に取り付けられた１本又は複数本のワイヤその他の電力及び／又は信号搬送路を含むワイヤ束を備えるシステム。
（付記１０２）
付記１００記載のシステムであって、上記ＨＩＤが、電力及び／又は情報を介し上記コントローラがオーラルリトラクタの一部分又は複数部分を制御するためのコマンドを上記ワイヤ束経由でオペレータが送れるようにするユーザインタフェースを備えるシステム。
（付記１０３）
付記１００記載のシステムであって、上記リトラクタを調整その他制御するため、例えば当該リトラクタに備わる１個又は複数個の制御要素を作動させるため、オペレータが上記ＨＩＤとやりとりするシステム。
（付記１０４）
付記１０３記載のシステムであって、上記制御要素が、上記オーラルリトラクタに備わる直線位置決めモータ、回動位置決めモータ、高さ位置決めモータ及び角度位置決めモータのうち少なくとも１個を含むシステム。
（付記１０５）
付記１００記載のシステムを用い医療手順を実行する方法。
（付記１０６）
舌押さえ篦と、
上記舌押さえ篦を少なくとも三自由度に亘りアーティキュレート可能に構成及び調製されたアーティキュレーションアセンブリと、
上記舌押さえ篦のアーティキュレート中に上記アーティキュレーションアセンブリに対し安定化力を供給可能に構成及び調製された支持要素と、
を備えるオーラルリトラクション装置。
（付記１０７）
先行する付記のうちいずれか一項に記載のオーラルリトラクション装置であり、患者の口部内に配置されるオーラルリトラクション装置であって、当該口部を介し患者の内部領域へのアクセスを提供可能に構成及び調製されているオーラルリトラクション装置。
（付記１０８）
先行する付記のうちいずれか一項に記載のオーラルリトラクション装置であって、上記内部領域が鼻腔、喉、中咽頭、食道、声帯及び胃のうち少なくとも１個を含み、及び／又は、患者の鼻腔、喉、中咽頭、食道、声帯又は胃に近い身体領域への直接又は間接的なアクセスを提供するオーラルリトラクション装置。
（付記１０９）
先行する付記のうちいずれか一項に記載のオーラルリトラクション装置であって、アーティキュレーティングロボットプローブを少なくとも患者の口部へと導入するのに用いられるオーラルリトラクション装置。
（付記１１０）
先行する付記のうちいずれか一項に記載のオーラルリトラクション装置であって、安定化状態であるとき、患者の口部に力を加えて当該口部の幾何形状を制御するオーラルリトラクション装置。
（付記１１１）
先行する付記のうちいずれか一項に記載のオーラルリトラクション装置であって、上記口部にある唇、舌、歯及び頬のうち少なくとも１個に力を加えるオーラルリトラクション装置。
（付記１１２）
先行する付記のうちいずれか一項に記載のオーラルリトラクション装置であって、医療手順の前又は最中における患者の頭部の再位置決めが最小限化され又は回避されるよう、上記口部に力を加えるオーラルリトラクション装置。
（付記１１３）
先行する付記のうちいずれか一項に記載のオーラルリトラクション装置であって、その構成要素のうち１個又は複数個のアーティキュレート又は幾何学的変形が片手操作に従い実行されるオーラルリトラクション装置。
（付記１１４）
先行する付記のうちいずれか一項に記載のオーラルリトラクション装置であり、患者の口中に配置されるオーラルリトラクション装置であって、１回又は複数回の医療手順中における患者の内部部位へのアクセスを提供すべく上記舌押さえ篦で患者の舌に力を加えるオーラルリトラクション装置。
（付記１１５）
先行する付記のうちいずれか一項に記載のオーラルリトラクション装置であって、上記舌押さえ篦が上記アーティキュレーションアセンブリに可除結合されているオーラルリトラクション装置。
（付記１１６）
先行する付記のうちいずれか一項に記載のオーラルリトラクション装置であって、本オーラルリトラクション装置が患者の口中に配置されている間に、上記舌押さえ篦を上記アーティキュレーションアセンブリから除去可能なオーラルリトラクション装置。
（付記１１７）
先行する付記のうちいずれか一項に記載のオーラルリトラクション装置であって、上記舌押さえ篦を片手操作に従い除去可能なオーラルリトラクション装置。
（付記１１８）
先行する付記のうちいずれか一項に記載のオーラルリトラクション装置であって、上記支持要素が、直線位置決めアセンブリに結合された支持アームを備え、その直線位置決めアセンブリが、当該支持要素を直線方向にアーティキュレートさせるオーラルリトラクション装置。
（付記１１９）
先行する付記のうちいずれか一項に記載のオーラルリトラクション装置であって、上記支持要素が、直線位置決めアセンブリに結合されたフレームを備え、その直線位置決めアセンブリが、当該支持要素を直線方向にアーティキュレートさせるオーラルリトラクション装置。
（付記１２０）
先行する付記のうちいずれか一項に記載のオーラルリトラクション装置であって、上記支持要素が、直線位置決めアセンブリの一部分に可摺動結合された第１支持要素と、その直線位置決めアセンブリの他部分に固定結合された第２支持要素と、を備え、当該第１支持要素が支持アームを備え、当該第２支持要素がフレームを備え、当該直線位置決めアセンブリが当該支持要素を直線方向にアーティキュレートさせるオーラルリトラクション装置。
（付記１２１）
先行する付記のうちいずれか一項に記載のオーラルリトラクション装置であって、上記直線位置決めアセンブリの直線並進に応じ上記フレームが上記支持アームに対し動くオーラルリトラクション装置。
（付記１２２）
先行する付記のうちいずれか一項に記載のオーラルリトラクション装置であって、上記支持アーム及び上記フレームが本オーラルリトラクション装置の両端にて支持力をもたらすオーラルリトラクション装置。
（付記１２３）
先行する付記のうちいずれか一項に記載のオーラルリトラクション装置であって、上記支持アームが、更に、上記安定化力を供給すべく本オーラルリトラクション装置の一端で支持構造に取付可能に構成及び調製された取付部を備えるオーラルリトラクション装置。
（付記１２４）
先行する付記のうちいずれか一項に記載のオーラルリトラクション装置であって、上記取付部が、上記支持構造の管状部を部分的に取り巻く等して当該支持構造に係合することにより、上記支持アームのポジションを安定化させ及び／又は保持するオーラルリトラクション装置。
（付記１２５）
先行する付記のうちいずれか一項に記載のオーラルリトラクション装置であって、上記支持構造が、安定な構造物に結合された支持ロッドを備えるオーラルリトラクション装置。
（付記１２６）
先行する付記のうちいずれか一項に記載のオーラルリトラクション装置であって、上記支持アームが、オペレータにより安定化可能に構成及び調製されたハンドルを備えるオーラルリトラクション装置。
（付記１２７）
先行する付記のうちいずれか一項に記載のオーラルリトラクション装置であって、オペレータが上記ハンドルを用い本オーラルリトラクション装置を患者の口にて安定化させるオーラルリトラクション装置。
（付記１２８）
先行する付記のうちいずれか一項に記載のオーラルリトラクション装置であって、上記フレームがある軸に沿った延長方向に沿い延びており、当該フレームがその軸に沿い上記支持アームに対し並進すると当該軸に沿い患者の口に開口力が加わるオーラルリトラクション装置。
（付記１２９）
先行する付記のうちいずれか一項に記載のオーラルリトラクション装置であって、更に、複数個のチークリトラクタと、上記支持要素のフレームに結合された複数個の臼歯支持体と、を備えるオーラルリトラクション装置。
（付記１３０）
先行する付記のうちいずれか一項に記載のオーラルリトラクション装置であって、上記複数個のチークリトラクタのうち少なくとも１個のチークリトラクタが一種類又は複数種類の力を患者の頬に加えるオーラルリトラクション装置。
（付記１３１）
先行する付記のうちいずれか一項に記載のオーラルリトラクション装置であって、上記臼歯支持体のうち少なくとも１個が一種類又は複数種類の力を患者の歯に加えるオーラルリトラクション装置。
（付記１３２）
先行する付記のうちいずれか一項に記載のオーラルリトラクション装置であって、上記フレームが、上記チークリトラクタそれぞれに対応する頬位置決めスロットと、上記臼歯支持体それぞれに対応する臼歯調整スロットと、を有するオーラルリトラクション装置。
（付記１３３）
先行する付記のうちいずれか一項に記載のオーラルリトラクション装置であって、上記頬位置決めスロットが、上記フレームのうち第１軸沿いに延びる部分に沿い上記チークリトラクタを位置決め可能に構成及び調製されており、上記臼歯調整スロットが、当該フレームのうち当該第１軸に対し垂直な第２軸沿いに延びる部分に沿い上記臼歯支持体を位置決め可能に構成及び調製されているオーラルリトラクション装置。
（付記１３４）
先行する付記のうちいずれか一項に記載のオーラルリトラクション装置であって、上記フレームから見て本オーラルリトラクション装置の逆端にある支持アームが上記第１軸沿いに並進すると当該第１軸に沿い患者の口が押し広げられるよう、上記臼歯支持体が当該フレーム向けに抵抗力を供給し、且つ、上記第２軸に沿い患者の口が押し広げられるよう上記チークリトラクタが抵抗力を供給するオーラルリトラクション装置。
（付記１３５）
先行する付記のうちいずれか一項に記載のオーラルリトラクション装置であって、上記臼歯支持体及び上記チークリトラクタのうち少なくとも１個が上記フレームに可除結合されているオーラルリトラクション装置。
（付記１３６）
先行する付記のうちいずれか一項に記載のオーラルリトラクション装置であって、患者の臼歯の所在を容れるべく上記フレーム上における上記臼歯支持体の位置を調整可能なオーラルリトラクション装置。
（付記１３７）
先行する付記のうちいずれか一項に記載のオーラルリトラクション装置であって、上記フレームが臼歯調整アーチを有し、上記臼歯調整スロットがその臼歯調整アーチにあり、当該臼歯調整アーチが、患者の臼歯その他の歯又は患者の上顎に備わる部分に対し上記臼歯支持体を整列可能に構成されているオーラルリトラクション装置。
（付記１３８）
先行する付記のうちいずれか一項に記載のオーラルリトラクション装置であって、上記アーティキュレーションアセンブリが、上記支持要素の支持アームに対し直線方向に沿い当該支持要素のフレームをアーティキュレートさせる直線位置決めアセンブリを備えるオーラルリトラクション装置。
（付記１３９）
先行する付記のうちいずれか一項に記載のオーラルリトラクション装置であって、上記直線位置決めアセンブリの動きを通じもたらされる上記フレームのオペレータ由来並進により、当該フレームに結合されている臼歯支持体と上記舌押さえ篦との間の距離が変化するオーラルリトラクション装置。
（付記１４０）
先行する付記のうちいずれか一項に記載のオーラルリトラクション装置であって、上記直線位置決めアセンブリが、一方向又は複数方向に沿い並進を制限可能に、且つ当該直線位置決めアセンブリを一連の直線位置に保持可能に、構成及び調製されているオーラルリトラクション装置。
（付記１４１）
先行する付記のうちいずれか一項に記載のオーラルリトラクション装置であって、上記直線位置決めアセンブリが、上記フレームが結合された端を有するベースと、当該直線位置決めアセンブリの第１軸沿い並進を制御するラチェットアセンブリと、を備えるオーラルリトラクション装置。
（付記１４２）
先行する付記のうちいずれか一項に記載のオーラルリトラクション装置であって、上記ラチェットアセンブリが、ラチェットロック部を有するレバーを備え、本オーラルリトラクション装置が更にスプリングアセンブリを備え、当該ラチェットアセンブリが当該スプリングアセンブリにより付勢されるオーラルリトラクション装置。
（付記１４３）
先行する付記のうちいずれか一項に記載のオーラルリトラクション装置であって、上記レバー及び上記ロック部が、上記自由度のうち一つを有効化可能且つ上記ラチェットアセンブリの制御下に上記直線位置決めアセンブリの直線方向沿い並進を許容可能に構成及び調製されており、且つ、当該レバー及び当該ロック部の作動により、上記第１軸沿いの少なくとも一方向に沿った当該直線位置決めアセンブリの動きが妨げられて上記自由度のうち上記一つが阻害されるオーラルリトラクション装置。
（付記１４４）
先行する付記のうちいずれか一項に記載のオーラルリトラクション装置であって、上記レバーの基端に力が加わると上記ロック部が分離されて、上記直線位置決めアセンブリが上記第１軸に沿い運動自在となるオーラルリトラクション装置。
（付記１４５）
先行する付記のうちいずれか一項に記載のオーラルリトラクション装置であって、上記ラチェットアセンブリが、患者の臼歯に加わっている力が上記レバーに力が加わるのに応じ迅速解放され、患者の口からの本オーラルリトラクション装置の迅速除去等がそれにより可能となるよう、構成されているオーラルリトラクション装置。
（付記１４６）
先行する付記のうちいずれか一項に記載のオーラルリトラクション装置であって、上記支持アームが一組の歯を備え、上記直線位置決めアセンブリが、それらの歯と可作動的に係合するギアを有し、第１ポジションたる係合ポジションでは上記ラチェットロック部がそれらの歯と係合し、第２ポジションたる分離ポジションでは当該ラチェットロック部がそれらの歯から分離されて上記並進アセンブリが運動自在となるオーラルリトラクション装置。
（付記１４７）
先行する付記のうちいずれか一項に記載のオーラルリトラクション装置であって、直線位置決めノブの回動がその軸を中心とした上記ギアの回動、ひいては上記支持要素に対する上記直線位置決めアセンブリの直線並進に変換されるよう、上記ギアが直線位置決めノブに取り付けられているオーラルリトラクション装置。
（付記１４８）
先行する付記のうちいずれか一項に記載のオーラルリトラクション装置であって、上記アーティキュレーションアセンブリが、上記舌押さえ篦を回動的にアーティキュレート可能に構成及び調製されているオーラルリトラクション装置。
（付記１４９）
先行する付記のうちいずれか一項に記載のオーラルリトラクション装置であって、上記アーティキュレーションアセンブリが、複数軸ギアアセンブリと、上記少なくとも三自由度に亘り上記舌抑え篦をアーティキュレートさせる複数個のノブと、を有するオーラルリトラクション装置。
（付記１５０）
先行する付記のうちいずれか一項に記載のオーラルリトラクション装置であって、上記ノブが、回動位置決めノブ、高さ位置決めノブ及び角度位置決めノブのうち少なくとも１個を含むオーラルリトラクション装置。
（付記１５１）
先行する付記のうちいずれか一項に記載のオーラルリトラクション装置であって、上記角度位置決めノブの回動により、上記舌抑え篦の曲線方向沿いアーティキュレートであって第１軸を巡る一自由度を伴うものが御されるオーラルリトラクション装置。
（付記１５２）
先行する付記のうちいずれか一項に記載のオーラルリトラクション装置であって、上記高さ位置決めノブの回動により、上記舌抑え篦の直線方向沿いアーティキュレートであって上記第１軸に対し垂直な第２軸に対する一自由度を伴うものが、当該舌抑え篦の挿入長を調整すべく御されるオーラルリトラクション装置。
（付記１５３）
先行する付記のうちいずれか一項に記載のオーラルリトラクション装置であって、上記回動位置決めノブの回動により、上記舌抑え篦の曲線方向沿いアーティキュレートであって上記第１軸及び第２軸に対し垂直な第３軸を巡る一自由度を伴うものが御されるオーラルリトラクション装置。
（付記１５４）
先行する付記のうちいずれか一項に記載のオーラルリトラクション装置であって、上記回動位置決めノブ、上記高さ位置決めノブ及び上記角度位置決めノブのうち１個又は複数個の組合せの連携により、患者の口部へのアクセスを可能化するオーラルリトラクション装置。
（付記１５５）
先行する付記のうちいずれか一項に記載のオーラルリトラクション装置であって、上記直線位置決めノブの回動、ひいては上記直線位置決めアセンブリと連携するフレームがそれにより並進することを通じ、付加的な自由度を提供可能なオーラルリトラクション装置。
（付記１５６）
先行する付記のうちいずれか一項に記載のオーラルリトラクション装置であって、上記患者の歯に加わる力を直線位置決めノブを回動させることで調整すると、上記直線位置決めアセンブリに連携するフレームとの間の距離が上記舌押さえ篦を基準として変化し、それにより口を通じた開口が調整されるオーラルリトラクション装置。
（付記１５７）
先行する付記のうちいずれか一項に記載のオーラルリトラクション装置であって、上記直線位置決めノブ及びラチェットアセンブリレバーのうち少なくとも１個に力を加えることで、上記フレームの片手調整を実行可能なオーラルリトラクション装置。
（付記１５８）
先行する付記のうちいずれか一項に記載のオーラルリトラクション装置であって、更に、上記複数個のノブのうち少なくとも１個を中心に配置可能な器具を備えるオーラルリトラクション装置。
（付記１５９）
先行する付記のうちいずれか一項に記載のオーラルリトラクション装置であって、上記複数個のノブのうち係合している上記少なくとも１個を回動させるに当たりオペレータの手の指１本又は複数本で把持可能に、上記器具が構成及び調製されているオーラルリトラクション装置。
（付記１６０）
先行する付記のうちいずれか一項に記載のオーラルリトラクション装置であって、上記複数個のノブのうち係合している上記少なくとも１個を回動させるためのモータに結合可能に、上記器具が構成及び調製されているオーラルリトラクション装置。
（付記１６１）
先行する付記のうちいずれか一項に記載のオーラルリトラクション装置であって、上記ノブのうち少なくとも１個を回すことで上記舌押さえ篦の片手調整が実行されるオーラルリトラクション装置。
（付記１６２）
先行する付記のうちいずれか一項に記載のオーラルリトラクション装置であって、上記アーティキュレーションアセンブリが第１部分及びその第１部分と連携する第２部分を備え、当該第１部分が上記支持要素の支持アームに対しアーティキュレートするオーラルリトラクション装置。
（付記１６３）
先行する付記のうちいずれか一項に記載のオーラルリトラクション装置であって、更に、上記支持アームから延びるアクスルを備え、当該アクスルを中心に回動させるため当該アクスルを中心にして上記第１部分が位置決めされるオーラルリトラクション装置。
（付記１６４）
先行する付記のうちいずれか一項に記載のオーラルリトラクション装置であって、回動位置決めノブの回動により、上記アクスルを中心にした上記第１部分のアーティキュレートが御されるオーラルリトラクション装置。
（付記１６５）
先行する付記のうちいずれか一項に記載のオーラルリトラクション装置であって、上記第１部分に対し回動しうるよう上記アーティキュレーションアセンブリの上記第２部分が構成されているオーラルリトラクション装置。
（付記１６６）
先行する付記のうちいずれか一項に記載のオーラルリトラクション装置であって、上記アクスルを中心に上記第２部分が回動しているときにストップロックとして振る舞いうるよう角度位置決めノブが構成されているオーラルリトラクション装置。
（付記１６７）
先行する付記のうちいずれか一項に記載のオーラルリトラクション装置であって、上記第２部分が、チャネル内で上記舌抑え篦と接触可能且つそのチャネル内にその舌抑え篦を可摺動的に受容可能に構成された１本又は複数本のアームを備えるオーラルリトラクション装置。
（付記１６８）
先行する付記のうちいずれか一項に記載のオーラルリトラクション装置であって、上記舌押さえ篦が一組のギア状歯を備え、軸沿いに延びるアクスルに結合された複数軸ギアアセンブリのギアと摩擦係合するようそれらギア状歯が構成されているオーラルリトラクション装置。
（付記１６９）
先行する付記のうちいずれか一項に記載のオーラルリトラクション装置であって、上記ギアが高さ位置決めノブに結合されており、当該高さ位置決めノブの回動に応じ当該ギアがそのアクスルを中心にして回動し、回動している当該ギアが上記ギア状歯と係合する結果、ある直線経路に沿い上記チャネル内で上記舌押さえ篦が動き、それにより、上記アーティキュレーションアセンブリの上記アームに対する当該舌押さえ篦の縦位置が調整されるオーラルリトラクション装置。
（付記１７０）
先行する付記のうちいずれか一項に記載のオーラルリトラクション装置であって、上記高さ位置決めノブにより上記舌押さえ篦を縦方向に並進させるオーラルリトラクション装置。
（付記１７１）
先行する付記のうちいずれか一項に記載のオーラルリトラクション装置であって、上記アーティキュレーションアセンブリがロックアセンブリを備え、ロックポジションにて舌押さえ篦の横位置をロック可能に且つアンロックポジションにて舌押さえ篦の深さ位置の調整を許容可能にそのロックアセンブリが構成及び調製されているオーラルリトラクション装置。
（付記１７２）
先行する付記のうちいずれか一項に記載のオーラルリトラクション装置であって、上記ロックアセンブリがレバーを備え、そのレバーがクイックリリース機構、例えばオペレータの指１本又は片手で解放される機構として構成されているオーラルリトラクション装置。
（付記１７３）
舌押さえ篦と、
上記舌押さえ篦を回動的にアーティキュレート可能に構成及び調製されたアーティキュレーションアセンブリと、
上記舌押さえ篦のアーティキュレート中に上記アーティキュレーションアセンブリに対し安定化力を供給可能に構成及び調製された支持要素と、
を備えるオーラルリトラクション装置。
（付記１７４）
先行する付記のうちいずれか一項に記載のオーラルリトラクション装置であり、患者の口部内に配置されるオーラルリトラクション装置であって、当該口部を介し患者の内部領域へのアクセスを提供可能に構成及び調製されているオーラルリトラクション装置。
（付記１７５）
先行する付記のうちいずれか一項に記載のオーラルリトラクション装置であって、その構成要素のうち１個又は複数個のアーティキュレート又は幾何学的変形が片手操作に従い実行されるオーラルリトラクション装置。
（付記１７６）
先行する付記のうちいずれか一項に記載のオーラルリトラクション装置であって、上記支持要素が、直線位置決めアセンブリに結合された支持アームを備え、その直線位置決めアセンブリが、当該支持要素を直線方向にアーティキュレートさせるオーラルリトラクション装置。
（付記１７７）
先行する付記のうちいずれか一項に記載のオーラルリトラクション装置であって、上記支持要素が、直線位置決めアセンブリに結合されたフレームを備え、その直線位置決めアセンブリが、当該支持要素を直線方向にアーティキュレートさせるオーラルリトラクション装置。
（付記１７８）
先行する付記のうちいずれか一項に記載のオーラルリトラクション装置であって、上記支持要素が、直線位置決めアセンブリの一部分に可摺動結合された第１支持要素と、その直線位置決めアセンブリの他部分に固定結合された第２支持要素と、を備え、当該第１支持要素が支持アームを備え、当該第２支持要素がフレームを備え、当該直線位置決めアセンブリが当該支持要素を直線方向にアーティキュレートさせるオーラルリトラクション装置。
（付記１７９）
先行する付記のうちいずれか一項に記載のオーラルリトラクション装置であって、上記支持要素が、更に、上記安定化力を供給すべく本オーラルリトラクション装置の一端を支持構造に取付可能に構成及び調製された取付部を備えるオーラルリトラクション装置。
（付記１８０）
先行する付記のうちいずれか一項に記載のオーラルリトラクション装置であって、更に、複数個のチークリトラクタと、上記支持要素のフレームに結合された複数個の臼歯支持体と、を備えるオーラルリトラクション装置。
（付記１８１）
先行する付記のうちいずれか一項に記載のオーラルリトラクション装置であって、上記フレームが、上記チークリトラクタそれぞれに対応する頬位置決めスロットと、上記臼歯支持体それぞれに対応する臼歯調整スロットと、を有するオーラルリトラクション装置。
（付記１８２）
先行する付記のうちいずれか一項に記載のオーラルリトラクション装置であって、上記頬位置決めスロットが、上記フレームのうち第１軸沿いに延びる部分に沿い上記チークリトラクタを位置決め可能に構成及び調製されており、上記臼歯調整スロットが、当該フレームのうち当該第１軸に対し垂直な第２軸沿いに延びる部分に沿い上記臼歯支持体を位置決め可能に構成及び調製されているオーラルリトラクション装置。
（付記１８３）
先行する付記のうちいずれか一項に記載のオーラルリトラクション装置であって、上記フレームから見て本オーラルリトラクション装置の逆端にある支持アームが上記第１軸沿いに並進すると当該第１軸に沿い患者の口が押し広げられるよう、上記臼歯支持体が当該フレーム向けに抵抗力を供給し、且つ、上記第２軸に沿い患者の口が押し広げられるよう上記チークリトラクタが抵抗力を供給するオーラルリトラクション装置。
（付記１８４）
先行する付記のうちいずれか一項に記載のオーラルリトラクション装置であって、上記臼歯支持体及び上記チークリトラクタのうち少なくとも１個が上記フレームに可除結合されているオーラルリトラクション装置。
（付記１８５）
先行する付記のうちいずれか一項に記載のオーラルリトラクション装置であって、患者の臼歯の所在を容れるべく上記フレーム上における上記臼歯支持体の位置を調整可能なオーラルリトラクション装置。
（付記１８６）
先行する付記のうちいずれか一項に記載のオーラルリトラクション装置であって、上記アーティキュレーションアセンブリが、上記支持要素の支持アームに対し直線方向に沿い当該支持要素のフレームをアーティキュレートさせる直線位置決めアセンブリを備えるオーラルリトラクション装置。
（付記１８７）
先行する付記のうちいずれか一項に記載のオーラルリトラクション装置であって、上記直線位置決めアセンブリの動きを通じもたらされる上記フレームのオペレータ由来並進により、当該フレームに結合されている臼歯支持体と上記舌押さえ篦との間の距離が変化するオーラルリトラクション装置。
（付記１８８）
先行する付記のうちいずれか一項に記載のオーラルリトラクション装置であって、上記直線位置決めアセンブリが、一方向又は複数方向に沿い並進を制限可能に、且つ当該直線位置決めアセンブリを一連の直線位置に保持可能に、構成及び調製されているオーラルリトラクション装置。
（付記１８９）
先行する付記のうちいずれか一項に記載のオーラルリトラクション装置であって、上記直線位置決めアセンブリが、上記フレームが結合された端を有するベースと、当該直線位置決めアセンブリの第１軸沿い並進を制御するラチェットアセンブリと、を備えるオーラルリトラクション装置。
（付記１９０）
先行する付記のうちいずれか一項に記載のオーラルリトラクション装置であって、上記ラチェットアセンブリが、ラチェットロック部を有するレバーを備え、本オーラルリトラクション装置が更にスプリングアセンブリを備え、当該ラチェットアセンブリが当該スプリングアセンブリにより付勢されるオーラルリトラクション装置。
（付記１９１）
先行する付記のうちいずれか一項に記載のオーラルリトラクション装置であって、上記レバー及び上記ロック部が、上記自由度のうち一つを有効化可能且つ上記ラチェットアセンブリの制御下に上記直線位置決めアセンブリが直線方向沿いに並進可能となるよう構成及び調製され、且つ、当該レバー及び当該ロック部の作動により、上記第１軸沿いの少なくとも一方向に沿った当該直線位置決めアセンブリの動きが妨げられて上記自由度のうち上記一つが阻害されるオーラルリトラクション装置。
（付記１９２）
先行する付記のうちいずれか一項に記載のオーラルリトラクション装置であって、上記支持アームが一組の歯を備え、上記直線位置決めアセンブリが、それらの歯と可作動的に係合するギアを有し、第１ポジションたる係合ポジションでは上記ラチェットロック部がそれらの歯と係合し、第２ポジションたる分離ポジションでは当該ラチェットロック部がそれらの歯から分離されて上記並進アセンブリが運動自在となるオーラルリトラクション装置。
（付記１９３）
先行する付記のうちいずれか一項に記載のオーラルリトラクション装置であって、上記アーティキュレーションアセンブリが、上記舌押さえ篦を回動的にアーティキュレート可能に構成及び調製されているオーラルリトラクション装置。
（付記１９４）
先行する付記のうちいずれか一項に記載のオーラルリトラクション装置であって、上記アーティキュレーションアセンブリが、複数軸ギアアセンブリと、上記少なくとも三自由度に亘り上記舌抑え篦をアーティキュレートさせる複数個のノブと、を有するオーラルリトラクション装置。
（付記１９５）
先行する付記のうちいずれか一項に記載のオーラルリトラクション装置であって、上記ノブが、回動位置決めノブ、高さ位置決めノブ及び角度位置決めノブのうち少なくとも１個を含むオーラルリトラクション装置。
（付記１９６）
先行する付記のうちいずれか一項に記載のオーラルリトラクション装置であって、上記角度位置決めノブの回動により、上記舌抑え篦の曲線方向沿いアーティキュレートであって第１軸を巡る一自由度を伴うものが御されるオーラルリトラクション装置。
（付記１９７）
先行する付記のうちいずれか一項に記載のオーラルリトラクション装置であって、上記高さ位置決めノブの回動により、上記舌抑え篦の直線方向沿いアーティキュレートであって上記第１軸に対し垂直な第２軸に対する一自由度を伴うものが、当該舌抑え篦の挿入長を調整すべく御されるオーラルリトラクション装置。
（付記１９８）
先行する付記のうちいずれか一項に記載のオーラルリトラクション装置であって、上記回動位置決めノブの回動により、上記舌抑え篦の曲線方向沿いアーティキュレートであって上記第１軸及び第２軸に対し垂直な第３軸を巡る一自由度を伴うものが御されるオーラルリトラクション装置。
（付記１９９）
先行する付記のうちいずれか一項に記載のオーラルリトラクション装置であって、上記回動位置決めノブ、上記高さ位置決めノブ及び上記角度位置決めノブのうち１個又は複数個の組合せの連携により、患者の口部へのアクセスを可能化するオーラルリトラクション装置。
（付記２００）
先行する付記のうちいずれか一項に記載のオーラルリトラクション装置であって、上記直線位置決めノブの回動、ひいては上記直線位置決めアセンブリと連携するフレームがそれにより並進することを通じ、付加的な自由度を提供するオーラルリトラクション装置。
（付記２０１）
先行する付記のうちいずれか一項に記載のオーラルリトラクション装置であって、上記患者の歯に加わる力を直線位置決めノブを回動させることで調整すると、上記直線位置決めアセンブリに連携するフレームとの間の距離が上記舌押さえ篦を基準として変化し、それにより口を通じた開口が調整されるオーラルリトラクション装置。
（付記２０２）
先行する付記のうちいずれか一項に記載のオーラルリトラクション装置であって、上記直線位置決めノブ及びラチェットアセンブリレバーのうち少なくとも１個に力を加えることで、上記フレームの片手調整を実行可能なオーラルリトラクション装置。
（付記２０３）
付記１０６記載のオーラルリトラクション装置を用い医療手順を実行する方法。
（付記２０４）
図面を参照して説明されているシステム。
（付記２０５）
図面を参照して説明されている医療手順実行方法。
（付記２０６）
舌押さえ篦と、
上記舌押さえ篦を少なくとも三自由度に亘りアーティキュレート可能に構成及び調製されたアーティキュレーションアセンブリと、
上記舌押さえ篦のアーティキュレート中に上記アーティキュレーションアセンブリに対し安定化力を供給可能に構成及び調製された支持要素と、
を備えるオーラルリトラクション装置。
（付記２０７）
舌押さえ篦と、
上記舌押さえ篦を回動的にアーティキュレート可能に構成及び調製されたアーティキュレーションアセンブリと、
上記舌押さえ篦のアーティキュレート中に上記アーティキュレーションアセンブリに対し安定化力を供給可能に構成及び調製された支持要素と、
を備えるオーラルリトラクション装置。
（付記２０８）
舌押さえ篦と、
上記舌押さえ篦を少なくとも三自由度に亘りアーティキュレート可能に構成及び調製されたアーティキュレーションアセンブリと、
上記舌押さえ篦のアーティキュレート中に上記アーティキュレーションアセンブリに対し安定化力を供給可能に構成及び調製された支持要素と、
を備えるオーラルリトラクション装置。
（付記２０９）
舌押さえ篦と、
上記舌押さえ篦を回動的にアーティキュレート可能に構成及び調製されたアーティキュレーションアセンブリと、
上記舌押さえ篦のアーティキュレート中に上記アーティキュレーションアセンブリに対し安定化力を供給可能に構成及び調製された支持要素と、
を備えるオーラルリトラクション装置。
（付記２１０）
医用装置用の器具支持体(tool support)であって、
支持装置の長尺部を取り巻く開口を有するカムと、
上記カムを取り巻く外殻(outer shell)と、
医用装置のシャフト部を受容する通路と、
を備え、上記支持装置長尺部に沿い上記通路を並進させること及び当該支持装置長尺部を中心に当該通路を回動させることのうち、少なくとも一方を実行可能に構成及び調製されている器具支持体。
（付記２１１）
記載済の付記のうちいずれか一項に記載の器具支持体であって、上記支持装置長尺部に沿った並進及び当該支持装置長尺部を中心とする回動の双方を実行可能に構成及び調製されている器具支持体。
（付記２１２）
記載済の付記のうちいずれか一項に記載の器具支持体であって、上記支持装置長尺部に事前取付されている器具支持体。
（付記２１３）
記載済の付記のうちいずれか一項に記載の器具支持体であって、上記支持装置長尺部に取り付けること及び当該支持装置長尺部から取り外すことのうち、少なくとも一方を実行可能に構成及び調製されている器具支持体。
（付記２１４）
付記２１３記載の器具支持体であって、上記支持装置長尺部に対し側方取付可能な器具支持体。
（付記２１５）
記載済の付記のうちいずれか一項に記載の器具支持体であって、上記カムが上記通路の少なくとも一部分を有する器具支持体。
（付記２１６）
記載済の付記のうちいずれか一項に記載の器具支持体であって、上記カムが、圧縮可能且つ当該カムを変形可能に構成されたスロットを有する器具支持体。
（付記２１７）
記載済の付記のうちいずれか一項に記載の器具支持体であって、上記カムが少なくとも１個の可圧縮部分を備える器具支持体。
（付記２１８）
付記２１７記載の器具支持体であって、上記可圧縮部分がエラストマ素材を含む器具支持体。
（付記２１９）
記載済の付記のうちいずれか一項に記載の器具支持体であって、上記カムが、上記医用装置シャフト部を上記通路に摩擦係合させるべく圧縮可能に構成及び調製されている器具支持体。
（付記２２０）
付記２１９記載の器具支持体であって、更に止めネジを備え、その止めネジの回動により上記カムが圧縮される器具支持体。
（付記２２１）
付記２１９記載の器具支持体であって、上記医用装置に備わる上記シャフト部の上記通路に対する上記摩擦係合により、当該通路内での当該医用装置の並進及び当該通路内での当該医用装置の回動のうち少なくとも一方が妨げられる器具支持体。
（付記２２２）
記載済の付記のうちいずれか一項に記載の器具支持体であって、上記カムが、上記支持装置長尺部を本器具支持体と摩擦係合させるべく圧縮可能に構成及び調製されている器具支持体。
（付記２２３）
付記２２２記載の器具支持体であって、更に止めネジを備え、その止めネジの回動により上記カムが圧縮される器具支持体。
（付記２２４）
付記２２２記載の器具支持体であって、更に止めネジを備え、その止めネジの回動により上記カムが圧縮される器具支持体。
（付記２２５）
付記２２２記載の器具支持体であって、上記支持装置長尺部の上記摩擦係合により、上記支持装置に沿った本器具支持体の並進及び当該支持装置を中心とした本器具支持体の回動のうち、少なくとも一方が妨げられる器具支持体。
（付記２２６）
記載済の付記のうちいずれか一項に記載の器具支持体であって、上記カム開口が非円形開口を構成する器具支持体。
（付記２２７）
記載済の付記のうちいずれか一項に記載の器具支持体であって、上記支持装置長尺部が、リトラクタ装置のフレームの一区画を構成する器具支持体。
（付記２２８）
付記２２７記載の器具支持体であって、上記リトラクタ装置が、記載済の付記のうちいずれか一項に記載のオーラルリトラクション装置を有する器具支持体。
（付記２２９）
記載済の付記のうちいずれか一項に記載の器具支持体であって、上記外殻が上記通路の少なくとも一部分を有する器具支持体。
（付記２３０）
記載済の付記のうちいずれか一項に記載の器具支持体であって、上記外殻が、上記カムに対し回動可能に構成及び調製されている器具支持体。
（付記２３１）
付記２３０記載の器具支持体であって、上記外殻が、少なくとも３６０°に亘り回動可能に構成及び調製されている器具支持体。
（付記２３２）
付記２３０記載の器具支持体であって、上記外殻が、３６０°未満に亘り回動可能に構成及び調製されている器具支持体。
（付記２３３）
記載済の付記のうちいずれか一項に記載の器具支持体であって、上記外殻が、本器具支持体が上記支持装置に取り付けられるときに上記支持装置長尺部を側方受容可能に構成及び調製された開口を有する器具支持体。
（付記２３４）
記載済の付記のうちいずれか一項に記載の器具支持体であって、上記外殻が、使用中にその形状を相対的に保持可能に構成及び調製されている器具支持体。
（付記２３５）
記載済の付記のうちいずれか一項に記載の器具支持体であって、上記通路が、上記外殻内に位置するルーメンを有する器具支持体。
（付記２３６）
記載済の付記のうちいずれか一項に記載の器具支持体であって、上記通路が、上記カム内に位置するルーメンを有する器具支持体。
（付記２３７）
記載済の付記のうちいずれか一項に記載の器具支持体であって、上記通路が、上記外殻及び上記カムのうち少なくとも一方に取り付けられた中空管を有する器具支持体。
（付記２３８）
記載済の付記のうちいずれか一項に記載の器具支持体であって、上記通路が、その直径が約５ｍｍ以下のルーメンを有する器具支持体。
（付記２３９）
記載済の付記のうちいずれか一項に記載の器具支持体であって、上記通路が、その直径が約５ｍｍに上る器具シャフトを受容可能に構成及び調製されている器具支持体。
（付記２４０）
記載済の付記のうちいずれか一項に記載の器具支持体であって、上記通路が第１通路及び第２通路を有する器具支持体。
（付記２４１）
付記２４０記載の器具支持体であって、上記第１通路が第１直径を有し、上記第２通路が当該第１直径と異なる第２直径を有する器具支持体。
（付記２４２）
記載済の付記のうちいずれか一項に記載の器具支持体であって、上記通路が、上記医用装置シャフト部の回動を防止可能に構成及び調製された非円形断面を有する器具支持体。
（付記２４３）
記載済の付記のうちいずれか一項に記載の器具支持体であって、上記医用装置が、第２の医用装置のシャフトを摺動受容可能に構成及び調製された器具案内体を備える器具支持体。
（付記２４４）
付記２４３記載の器具支持体であって、上記器具案内体が中空管を有する器具支持体。
（付記２４５）
付記２４３記載の器具支持体であって、上記器具案内体が、グラスパ、クロー、鋏、カッタ、ナイフ、アブレータ、焼灼器、給薬器、輻射源、レーザ輻射器、エネルギ送給素子例えばＲＦ電極、センサ例えば圧力センサ又は血液センサ、カメラ、磁石、加熱素子、低温素子、リトラクタ、リトラクタブレード例えばチークリトラクタ及びそれらの組合せを元とする集合から選択された器具のシャフトを受容可能に構成及び調製されている器具支持体。
（付記２４６）
記載済の付記のうちいずれか一項に記載の器具支持体であって、上記医用装置が、グラスパ、クロー、鋏、カッタ、ナイフ、アブレータ、焼灼器、給薬器、輻射源、レーザ輻射器、エネルギ送給素子例えばＲＦ電極、センサ例えば圧力センサ又は血液センサ、カメラ、磁石、加熱素子、低温素子、リトラクタ、リトラクタブレード例えばチークリトラクタ及びそれらの組合せを元とする集合から選択された医用装置を有する器具支持体。
（付記２４７）
記載済の付記のうちいずれか一項に記載の器具支持体であって、上記医用装置がチークリトラクタを有する器具支持体。
（付記２４８）
記載済の付記のうちいずれか一項に記載の器具支持体であって、更に止めネジを備える器具支持体。
（付記２４９）
付記２４８記載の器具支持体であって、上記止めネジが、その止めネジを締めると上記カムが上記支持装置長尺部に対しロックされるよう構成及び調製されている器具支持体。
（付記２５０）
付記２４９記載の器具支持体であって、上記止めネジを締めると、その止めネジの働きで上記カムに加わる力により、そのカムが上記支持装置長尺部に対し摩擦係合する器具支持体。
（付記２５１）
付記２５０記載の器具支持体であって、上記止めネジが、更に、その止めネジを締めると上記医用装置が上記通路に対しロックされるよう構成及び調製されている器具支持体。
（付記２５２）
付記２５１記載の器具支持体であって、上記止めネジを締めると、その止めネジの働きで上記カムに加わる力により、そのカムの一部分が上記通路内へと動いて上記医用装置シャフト部と摩擦係合する器具支持体。
（付記２５３）
付記２４８記載の器具支持体であって、上記止めネジが、その止めネジを締めると上記医用装置が上記通路に対しロックされるよう構成及び調製されている器具支持体。
（付記２５４）
付記２５３記載の器具支持体であって、上記止めネジを締めると、その止めネジの働きで上記カムに加わる力によりそのカムの一部分が上記通路内へと動いて上記医用装置シャフト部と摩擦係合する器具支持体。
（付記２５５）
付記２４８記載の器具支持体であって、上記止めネジが、その止めネジを締めると上記外殻に対する上記カムの回動が妨げられるよう構成されている器具支持体。
（付記２５６）
記載済の付記のうちいずれか一項に記載の器具支持体であって、更に、２本の止めネジを備える器具支持体。
（付記２５７）
付記２５６記載の器具支持体であって、第１の止めネジが、当該第１の止めネジを締めると上記カムが上記支持装置長尺部に対しロックされるよう構成及び調製されており、第２の止めネジが、当該第２の止めネジを締めると上記医用装置が上記通路に対しロックされるよう構成及び調製されている器具支持体。
（付記２５８）
記載済の付記のうちいずれか一項に記載のオーラルリトラクション装置であって、
記載済の付記のうちいずれか一項に記載の器具支持体を少なくとも１個備えるオーラルリトラクション装置。
（付記２５９）
付記２５８記載のオーラルリトラクション装置であって、鼻腔、喉、中咽頭、食道、声帯、胃及びそれらの組合せを元とする集合から選択された部位に対するアクセスを提供可能に構成及び調製されているオーラルリトラクション装置。
（付記２６０）
付記２５８記載のオーラルリトラクション装置であって、閉境界フレームを備えるオーラルリトラクション装置。
（付記２６１）
付記２５８記載のオーラルリトラクション装置であって、開境界フレームを備えるオーラルリトラクション装置。
（付記２６２）
付記２５８記載のオーラルリトラクション装置であって、更に、本オーラルリトラクション装置を安定化可能に構成及び調製された歯係合部材(tooth engaging member)を備えるオーラルリトラクション装置。
（付記２６３）
付記２６２記載のオーラルリトラクション装置であって、上記歯係合部材が、患者の歯及び歯茎のうち少なくとも１個と接触するよう構成されているオーラルリトラクション装置。
（付記２６４）
付記２６２記載のオーラルリトラクション装置であって、上記歯係合部材が堅固部分及び可撓部分を有するオーラルリトラクション装置。
（付記２６５）
記載済の付記のうちいずれか一項に記載のオーラルリトラクション装置であって、記載済の付記のうちいずれか一項に記載の器具支持体を少なくとも２個備えるオーラルリトラクション装置。
（付記２６６）
先行する付記のうちいずれか一項に記載のオーラルリトラクション装置であって、記載済の付記のうちいずれか一項に記載の器具支持体を少なくとも３個備えるオーラルリトラクション装置。
（付記２６７）
記載済の付記のうちいずれか一項に記載の器具支持体と、
支持装置長尺部に沿い上記器具支持体の上記通路を並進させる機能、
上記支持装置長尺部を中心にして上記器具支持体の上記通路を回動させる機能、
上記通路で上記医用装置シャフト部を並進させる機能、
上記支持装置に対する上記通路の向きをロックする機能、
上記通路内で上記医用装置シャフト部をロックする機能、
並びにその組合せ、
を元とする集合から選ばれた移動機能を実行するコントローラと、
を備えるオーラルリトラクションシステム。
（付記２６８）
記載済の付記のうちいずれか一項に記載のオーラルリトラクションシステムであって、更に少なくとも１個のモータを備え、上記コントローラが、上記移動機能を実行すべく当該少なくとも１個のモータを作動させうるよう構成されているオーラルリトラクションシステム。
（付記２６９）
付記２６８記載のオーラルリトラクションシステムであって、上記少なくとも１個のモータが上記器具支持体の上記外殻に固定されていて、上記カムに対し当該外殻を回動させうるよう当該少なくとも１個のモータが構成されているオーラルリトラクションシステム。
（付記２７０）
付記２６８記載のオーラルリトラクションシステムであって、上記少なくとも１個のモータが上記器具支持体の上記外殻に固定されていて、上記通路に対し上記医用装置シャフト部を並進させうるよう当該少なくとも１個のモータが構成されているオーラルリトラクションシステム。
（付記２７１）
付記２６８記載のオーラルリトラクションシステムであって、上記少なくとも１個のモータが上記器具支持体の上記カムに固定されていて、上記支持装置に対し当該器具支持体を並進させうるよう当該少なくとも１個のモータが構成されているオーラルリトラクションシステム。
（付記２７２）
記載済の付記のうちいずれか一項に記載のオーラルリトラクションシステムであって、更に少なくとも１個のリニアアクチュエータを備え、上記コントローラが、上記移動機能を実行すべく当該少なくとも１個のリニアアクチュエータを作動させうるよう構成されているオーラルリトラクションシステム。
（付記２７３）
付記２７２記載のオーラルリトラクションシステムであって、上記少なくとも１個のリニアアクチュエータがソレノイドを有するオーラルリトラクションシステム。
（付記２７４）
付記２７２記載のオーラルリトラクションシステムであって、上記少なくとも１個のリニアアクチュエータが上記外殻に固定されていて、上記カムに対する当該外殻の回動を妨げるように当該少なくとも１個のリニアアクチュエータが構成されているオーラルリトラクションシステム。
（付記２７５）
少なくとも１個の舌押さえ篦と、
上記少なくとも１個の舌押さえ篦の少なくとも一部分に沿い配置されており且つ少なくとも１個の開口を有する管と、
上記少なくとも１個の開口に通流する流体アタッチメントポートと、
を有する舌押さえアセンブリを備え、
上記舌押さえアセンブリが、上記少なくとも１個の開口を通じ流体を導入及び／又は排出させうるよう構成されているオーラルリトラクションシステム。
（付記２７６）
付記２７５記載のオーラルリトラクションシステムであって、上記管が、上記少なくとも１個の舌押さえ篦に取付可能に構成及び調製されているオーラルリトラクションシステム。
（付記２７７）
付記２７５記載のオーラルリトラクションシステムであって、上記少なくとも１個の舌押さえ篦が複数個の舌押さえ篦を含むオーラルリトラクションシステム。
（付記２７８）
付記２７５記載のオーラルリトラクションシステムであって、更に機能要素を備えるオーラルリトラクションシステム。
（付記２７９）
付記２７８記載のオーラルリトラクションシステムであって、上記機能要素が、上記少なくとも１個の舌押さえ篦、上記管、上記流体アタッチメントポート及びそれらの組合せを元とする集合から選択された部材上に配置されているオーラルリトラクションシステム。
（付記２８０）
付記２７８記載のオーラルリトラクションシステムであって、上記機能要素がセンサを備えるオーラルリトラクションシステム。
（付記２８１）
付記２８０記載のオーラルリトラクションシステムであって、上記センサが、圧力センサ、煙センサ、ｐＨセンサ、血液ガスセンサ、血糖値センサ、呼吸センサ、ＥＥＧセンサ、温度センサ、電極及びそれらの組合せを元とする集合から選択されたセンサを以て構成されるオーラルリトラクションシステム。
（付記２８２）
付記２７８記載のオーラルリトラクションシステムであって、上記機能要素がトランスデューサを以て構成されるオーラルリトラクションシステム。
（付記２８３）
付記２８２記載のオーラルリトラクションシステムであって、上記トランスデューサが、光源、赤外光源、可視光源、輻射素子、超音波発生素子、電極、カメラ及びそれらの組合せを元とする集合から選択されたトランスデューサを以て構成されるオーラルリトラクションシステム。
（付記２８４）
医療手順中に患者の口を退縮(retract)させる方法であって、
舌押さえ篦をオーラルリトラクション用アーティキュレーションアセンブリに結合させるステップと、
上記舌押さえ篦を上記口中に挿入するステップと、
上記舌押さえ篦を上記オーラルリトラクション用アーティキュレーションアセンブリに対し直線方向に動かすステップと、
上記舌押さえ篦を望ましい直線位置でロックするステップと、
上記舌押さえ篦を上記オーラルリトラクション用アーティキュレーションアセンブリに対し角度方向に動かすステップと、
上記舌押さえ篦を望ましい角度位置でロックするステップと、
上記舌押さえ篦を上記口から取り除くステップと、
上記アーティキュレーションアセンブリをフレームに結合させるステップと、
上記フレームを上記口を中心にして位置決めするステップと、
上記舌押さえ篦を上記口中に再挿入するステップと、
上記舌押さえ篦を上記オーラルリトラクション用アーティキュレーションアセンブリに対し回動方向に動かすステップと、
を有する方法。
【手続補正３】
【補正対象書類名】明細書
【補正対象項目名】発明の名称
【補正方法】変更
【補正の内容】
【発明の名称】オーラルリトラクション装置